(57)【要約】【課題】他の機器との連携で、コストを低減、より最適な動作が可能な暖房機を提供することにある。【解決手段】或る環境内に設置された機器から発信された機器自身の動作状態または環境の状態を示す情報信号を受信する受信手段と、受信した情報信号に基づき、自己の動作状態を変更する制御手段とを有して、環境内に設置される暖房機とした。また、或る環境内に設置された暖房機から環境内に設置される他の聞きへ発信された暖房機自身の動作状況または環境の状態を示す情報信号を発信する発信手段を有した暖房機とした。或る環境は、トイレ室若しくは前記トイレ室とそれに隣接する部屋とを含む屋内環境であり、その機器は、トイレ室若しくは前記隣接する部屋に随意に設置される局部洗浄、送風、換気、冷房、照明、使用状態報知のための装置とした。【選択図】　図１
2004092937.tif 000002
【特許請求の範囲】
【請求項１】
或る環境内に設置された機器から発信された前記機器自身の動作状態または環境の状態を示す情報信号を受信する受信手段と、受信した前記情報信号に基づき自己の動作状態を変更する制御手段とを有して、前記環境内に設置されることを特徴とする暖房機。
【請求項２】
或る環境内に設置された機器に対し、自己の動作状態または環境の状態を示す情報信号を発信する発信手段とを有して、前記環境内に設置されることを特徴とする暖房機。
【請求項３】
前記或る環境は、トイレ室若しくは前記トイレ室とそれに隣接する部屋とを含む屋内環境であり、前記機器が、前記トイレ室若しくは前記隣接する部屋に随意に設置される局部洗浄、照明、使用状態報知、又温度計測装置であることを特徴とする請求項１記載の暖房機。
【請求項４】
前記或る環境は、トイレ室若しくは前記トイレ室とそれに隣接する部屋とを含む屋内環境であり、前記機器が、前記トイレ室若しくは前記隣接する部屋に随意に設置される局部洗浄、換気、冷房装置であることを特徴とする請求項２記載の暖房機。
【請求項５】
前記暖房機が局部洗浄装置から受信する情報信号には、下記の（１）〜（７）の情報群
（１）各種機能部品の実際の動作状態もしくは予測された動作状態の情報、
（２）操作部もしくはリモコン装置への利用者の指示入力情報、
（３）温度又は人体有無を検出するためのセンサーの検出結果、
（４）動作状態もしくは使用者の使用状態を検出する検出スイッチの検出結果、
（５）計時手段による計時結果、
（６）記憶装置に記憶された記憶データ、
（７）演算装置による演算結果、
の内から選ばれた１種類以上の情報が含まれることを特徴とする請求項３記載の暖房機。
【請求項６】
前記暖房機と前記局部洗浄装置は、商用電源により動作し、前記暖房機が前記局部洗浄装置から受信する情報信号には、下記の（１）〜（２）の情報群
（１）実際の電力使用量、
（２）予測された電力使用量、
の内から選ばれた少なくとも１種類の情報が含まれることを特徴とする請求項５記載の暖房機。
【請求項７】
前記暖房機が局部洗浄装置から受信する情報信号には、下記の（１）〜（３）の情報群
（１）現在の使用有無、
（２）過去の使用履歴、
（３）予測された現在又は将来の使用状態
の内から選ばれた少なくとも１種類の情報が含まれることを特徴とする請求項５記載の暖房機。
【請求項８】
前記暖房機が受信する情報信号には、
（１）照明の点灯もしくは消灯情報
（２）ドアの開閉情報
の内から選ばれた少なくとも１種類の情報が含まれることを特徴とする請求項３記載の暖房機。
【請求項９】
前記暖房機が受信する情報信号は、前記暖房機が設置された部屋若しくは隣接部屋の温度情報であることを特徴とする請求項３記載の暖房機。
【請求項１０】
前記暖房機が発信する情報信号には、下記の（１）〜（７）の情報群
（１）実際の動作状態もしくは予測された動作状態の情報、
（２）操作部もしくはリモコン装置への利用者の指示入力情報、
（３）温度又は人体有無を検出するためのセンサーの検出結果、
（４）動作状態もしくは使用者の使用状態を検出する検出スイッチの検出結果、
（５）計時手段による計時結果、
（６）記憶装置に記憶された記憶データ、
（７）演算装置による演算結果、
の内から選ばれた１種類以上の情報が含まれることを特徴とする請求項４記載の暖房機。
【請求項１１】
前記暖房機は、前記機器からの情報信号に基づいて、自己の動作を開始、変更、停止又は一時停止することを特徴とする請求項３記載の暖房機。
【請求項１２】
前記暖房機は、局部洗浄、照明、使用状態報知のための装置からの情報信号に基づいて、自己の動作状態を省電力待機状態から通常稼動状態に移行、もしくは通常稼動状態から省電力待機状態に移行することを特徴とする請求項１１記載の暖房機。
【請求項１３】
前記暖房機は、請求項６記載の情報信号に基づいて、自己の消費電力量を変化させることを特徴とする請求項１１記載の暖房機。
【請求項１４】
前記暖房機は、請求項５記載の情報信号に基づいてトイレの使用時間帯を推定し、前記暖房機の運転開始または停止を自動でおこなう機能を有したことを特徴とする請求項１１記載の暖房機。
【請求項１５】
前記暖房機は、所定日数前の使用履歴データに基づいて、前記暖房機の運転開始または停止を自動でおこなうことを特徴とする請求項１４記載の暖房機。
【請求項１６】
前記暖房機は、前記暖房機が設置された隣接の部屋の温度情報と、前記暖房機が設置された部屋の温度情報とを元に、運転動作を変更することを特徴とする請求項１１記載の暖房機。
【請求項１７】
前記暖房機は、
（１）局部洗浄装置からの情報信号に基づいて自己の動作状態を変更する連動運転モードと、
（２）局部洗浄装置からの情報信号に基づいては自己の動作状態を変更しない個別運転モードと
の内から所望のモードの選択手段を設けたことを特徴とする請求項５記載の暖房機。
【請求項１８】
前記暖房機は、前記機器からの情報信号に基づいて自己の動作状態を変更するための複数の変更手段を有し、前記複数の変更手段の中から所望の手段が選択可能であることを特徴とする請求項３記載の暖房機。
【請求項１９】
前記複数の変更手段には、
（１）局部洗浄装置からの情報信号に基づいて自己の消費電力を比較的に大きい値以下に抑制するか否かを切替える第１の変更手段と、
（２）局部洗浄装置からの情報信号に基づいては自己の消費電力を比較的に小さい値以下に抑制するか否かを切替える第２の変更手段と
を含むことを特徴とする請求項１８記載の暖房機。
【請求項２０】
前記暖房機は、赤外線もしくは他の空中伝播波を用いた無線チャネルを用いて、前記情報信号を授受することを特徴とする請求項１乃至４記載の暖房機。
【発明の詳細な説明】
【０００１】
【発明の属する技術分野】
本発明は、動作状態または環境の状態を示す情報信号を受発信する暖房機に関する。
【０００２】
本発明は、例えば、トイレ室などを含む屋内環境に、暖房機と、局部洗浄装置や照明装置、冷房装置等の他の機器とを設置し、情報信号を送受信することにより暖房機や他の機器を自動的に運転することができる。
【０００３】
【従来の技術】
従来、トイレに設置される暖房機は、電気式ヒータを搭載し、しかも暖房能力から消費電力が５００Ｗ以上のものが主流で運転を開始、停止、変更するごとに、操作しなければならなかった。局部洗浄装置においては、近年、瞬間式の熱交換器を用いた局部洗浄装置は貯湯式の局部洗浄装置と比べ電気代を節約できるため、主流となりつつあり、瞬間式の熱交換器を用いた局部洗浄装置は局部洗浄時に電力を１０００Ｗ以上要する。また、局部洗浄装置は、便蓋を自動開閉するために人体検知センサを搭載したものや、自動で脱臭運転するために着座センサを搭載したもの、また、未使用の時間帯に暖房便座のヒータをＯＦＦするような学習機能を有したものがある。
【０００４】
【発明が解決しようとする課題】
トイレ室内に暖房機と局部洗浄装置を設置した利用者は、局部洗浄装置及び室内暖房機器の双方の定格電力量とトイレ内のコンセントの許容電力量とを調べる必要があり手間であった。また、そのようなことをせずに設置した場合には、ブレーカーが落ちることがあった。
【０００５】
また、利用者は、各々の機器を個別に操作せねばならない必要があり、不便である。また、機器の動作停止忘れなどがあると、無用な電力を消費してしまう。
【０００６】
更に、これら機器の動作時間を限定するためには、暖房機と局部洗浄装置が各々独立の機器であるために各々に作動開始や作動停止を制御するためのタイマー装置等を設ける必要があり、各々の機器の構成を複雑化させ、機器コストを上昇させると共に、利用者は双方の設定を行なわなければならないという不具合が発生していた。
【０００７】
これらを解決するために、局部洗浄装置に予め外部ユニット接続用コネクタを設けておき、後付で外部ユニットを接続できるようにしておき、外部ユニットが接続された際には電力及び動作指示信号を外部ユニットに供給する機器が特開平１０−３３１２３７号等により提案されている。
【０００８】
しかし、このような機器では、多くは単体で使用されるであろう局部洗浄装置にも、予め外部ユニットを制御するためのプログラム等を記憶しておく必要があり、更に外部ユニット接続数分のコネクタをも設ける必要があり、局部洗浄装置自体が高価になるという不具合があった。また、このような装置では、どのような外部ユニットが接続されるかを予測して設計する必要があり、可能性を考慮して結果的に余計なものを搭載することが常であった。
【０００９】
従って本発明の目的は、暖房機あるいは他の機器が持つ情報を共有化することにより、暖房機あるいは他の機器のコストを低減させることができると共に、他の機器の情報を暖房機で活用することにより、より最適な動きができる運転モードを有した暖房機を利用者に提供することにある。
【００１０】
【課題を解決するための手段】
上記課題を解決するためになされた請求項１記載の発明は、暖房機が或る環境内に設置された機器から発信された前記機器自身の動作状態または環境の状態を示す情報信号を受信する受信手段と、受信した前記情報信号に基づき自己の動作状態を変更する制御手段とを有して、前記環境内に設置されることを特徴とする。
【００１１】
或る環境内に設置された機器から、同じ環境内に暖房機が設置されているか否かに関知することなしに、自己の状態又は環境の状態を示す情報信号を外部に発信する。一方、暖房機は、前記機器が発信する情報信号に基づいて自己の動作形態を変更することができる。結果として、暖房機を前記機器の動作に連携して自動的に動作させることが可能となる。よって、利用者が暖房機を操作しなければならない頻度が減少する。また、前記機器は、単に情報信号を発すればよいだけであり、前記機器と組み合わされる可能性のある暖房機の種類を設計段階で想定して、その可能性ある暖房機の動作を制御するためのプログラム等を前記機器に組込んでおく必要が無い。よって、前記機器を安価に提供することが可能となる。
【００１２】
更に、前記機器に予め暖房機を制御するためのプログラム等を組込んでおく必要が無いために、前記機器の開発・設計時点においては予測・準備し得ない要望が将来利用者から発生した場合であっても、その要望機能を組み込んだ暖房機を新たに設計して市場に提供すれば、古い前記機器を有効に生かしたまま、利用者の要望を満たすことが可能である。
【００１３】
請求項２記載の発明は、暖房機が或る環境内に設置された機器に対し、自己の動作状態または環境の状態を示す情報信号を発信する発信手段とを有して、前記環境内に設置されることを特徴とする。
【００１４】
或る環境内に設置された暖房機から、同じ環境内に他の機器が設置されているか否かに関知することなしに、自己の状態又は環境の状態を示す情報信号を外部に発信する。一方、他の機器は、暖房機が発信する情報信号に基づいて自己の動作形態を変更することができる。結果として、他の機器を暖房機の動作に連携して自動的に動作させることが可能となる。よって、利用者が他の機器を操作しなければならない頻度が減少する。また、暖房機は、単に情報信号を発すればよいだけであり、暖房機と組み合わされる可能性のある他の機器の種類を設計段階で想定して、その可能性ある他の機器の動作を制御するためのプログラム等を暖房機に組込んでおく必要が無い。よって、暖房機を安価に提供することが可能となる。
【００１５】
更に、暖房機に予め他の機器を制御するためのプログラム等を組込んでおく必要が無いために、暖房機の開発・設計時点においては予測・準備し得ない要望が将来利用者から発生した場合であっても、その要望機能を組み込んだ他の機器を新たに設計して市場に提供すれば、古い暖房機を有効に生かしたまま、利用者の要望を満たすことが可能である。
【００１６】
請求項３記載の発明は、請求項１記載の暖房機において、前記或る環境は、トイレ室若しくは前記トイレ室とそれに隣接する部屋とを含む屋内環境であり、前記機器が、前記トイレ室若しくは前記隣接する部屋に随意に設置される局部洗浄、照明、使用状態報知、又温度計測装置であることを特徴とする。
【００１７】
トイレ室に設置する暖房機は、使用者が寒い季節にトイレを使用する時間帯のみ暖かく、トイレ室へ入退出するごとに操作不要な物が好ましい。以下、本発明の使用例を下記する。
トイレ室外に点灯消灯スイッチがある照明装置から点灯と消灯を知らせる信号を発信させ、暖房機がその信号を受信し、照明点灯と共に暖房機が運転を開始し、照明消灯と共に暖房機が運転を停止するように設定しておけば、トイレ室へ入退出するごとに暖房機を操作する必要がなくなる。
トイレ室外に設置された使用状態報知の装置の場合も前記照明装置と同様に、トイレ室へ入退出するごとに暖房機を操作する必要がなくなる。
温度計測装置の場合は、温度計測装置から温度情報を発信させ、暖房機がその信号を受信しトイレ室内を一定温度となるように運転制御するように設定しておけば、過剰な暖房運転をせずに済む。
局部洗浄装置の場合は、離座情報を発信させ、暖房機がその信号を受信し自動停止するように設定しておけば、暖房機の停止操作の必要がなくなり、暖房機の消し忘れを防ぐことができる。
【００１８】
請求項４記載の発明は、請求項２記載の暖房機において、前記或る環境は、トイレ室若しくは前記トイレ室とそれに隣接する部屋とを含む屋内環境であり、前記機器が、前記トイレ室若しくは前記隣接する部屋に随意に設置される局部洗浄、換気、冷房の装置であることを特徴とする。
【００１９】
人体検知センサや温度センサを搭載した暖房機から暖房機の運転情報や人体検知情報や温度情報を発信させ、各機器が前記情報を受信し以下のように駆動するように設定しておけば利点が出てくる。
換気装置は、暖房機の人体検知情報により自動で運転開始、または換気装置が運転停止するように設定しておけば、換気装置をトイレ入退出ごとに操作する必要がなくなり、また、暖房機の運転情報を受信し、暖房機の運転時に換気装置を停止するように設定しておけば暖気を損失することなく熱ロスを防ぐことができる。
冷房装置は、暖房機の人体検知情報により自動で運転開始、または停止するように設定しておけば、冷房装置をトイレ入退出ごとに操作する必要がなくなり、また、暖房機の温度情報を受信し、トイレ室内を一定温度となるように運転制御するように設定しておけば、冷房装置に温度センサを設ける必要がなくなる。
局部洗浄装置は、暖房機の人体検知情報により自動で便蓋を開閉するように設定しておけば、人体検知センサを局部洗浄装置自身に設ける必要がなくなる。また、暖房機からトイレの使用予定時間情報が発信される場合などは、局部洗浄装置は、その情報により便座暖房を使用予定時間のみ運転するように設定しておけば省エネにもなる。
【００２０】
請求項５記載の発明は、請求項３記載の暖房機において、前記暖房機が局部洗浄装置から受信する情報信号には、下記の（１）〜（７）の情報群
（１）各種機能部品の実際の動作状態もしくは予測された動作状態の情報、
（２）操作部もしくはリモコン装置への利用者の指示入力情報、
（３）温度又は人体有無を検出するためのセンサーの検出結果、
（４）動作状態もしくは使用者の使用状態を検出する検出スイッチの検出結果、
（５）計時手段による計時結果、
（６）記憶装置に記憶された記憶データ、
（７）演算装置による演算結果、
の内から選ばれた１種類以上の情報が含まれることを特徴とする。
【００２１】
上記（１）の情報を用いる場合、暖房機と局部洗浄装置とを実際の動作又は予測された動作に連係して動作させることが可能となる。
【００２２】
上記（２）の情報を用いる場合、局部洗浄装置を利用者が操作することで、暖房機の動作も変えることができる。
【００２３】
上記（３）又は（４）の情報を用いる場合、局部洗浄装置に備えられた温度、人体検知などのセンサー又は検出スイッチの検出結果を、暖房機でも利用することが可能となり、暖房機の構成を簡略化して安価に提供することが可能となる。
【００２４】
上記（５）の情報を用いる場合、局部洗浄装置に備えられた計時手段による計時結果を暖房機が利用することが可能となり、暖房機の構成を簡略化して安価に提供することが可能となる。また、局部洗浄装置からの計時結果を用いて暖房機が自己の計時手段の計時結果を修正する構成を採用すれば、局部洗浄装置の計時と暖房機の計時とを同期させることができる。
【００２５】
上記（６）の情報を用いる場合、局部洗浄装置に備えられた記憶装置に記憶された記憶データを暖房機が利用することが可能となり、暖房機の構成を簡略化して安価に提供することが可能となる。
【００２６】
上記（７）の情報を用いる場合、局部洗浄装置に備えられた演算装置による演算結果を暖房機が利用することが可能となり、暖房機の構成を簡略化して安価に提供することが可能となる。
【００２７】
請求項６記載の発明は、前記暖房機と前記局部洗浄装置は、商用電源により動作し、前記暖房機が前記局部洗浄装置から受信する情報信号には、下記の（１）〜（２）の情報群
（１）実際の電力使用量、
（２）予測された電力使用量、
の内から選ばれた少なくとも１種類の情報が含まれることを特徴とする。
【００２８】
局部洗浄装置から発信された電力使用量に基づいて、暖房機が、自己の消費電力量を調整することができる。特に、予測された電力使用量を用いる場合、消費電力量の調整がより早期に行なえる。よって、局部洗浄装置と暖房機が同一の電源ブレーカーを共用している場合、そのブレーカーの電気容量を越えないよう全体の消費電力量を制御することが可能である。特に、予測された電力使用量を用いる場合、消費電力量の制御がより早期に行なえる。
【００２９】
利用者は、必要に応じて機器を追加する場合においても、電源ブレーカー又は電源コンセントの増設などの電源容量を増やすための手当てをせずに済む。
【００３０】
請求項７記載の発明は、請求項５記載の暖房機において、前記暖房機が局部洗浄装置から受信する情報信号には、下記の（１）〜（３）の情報群
（１）現在の使用有無、
（２）過去の使用履歴、
（３）予測された現在又は将来の使用状態
の内から選ばれた少なくとも１種類の情報が含まれることを特徴とする。
【００３１】
上記（１）の情報を用いる場合、局部洗浄装置が使用されているか否かに応じて、暖房機を稼動させたり停止させたり、或いは、消費電力を増減したりすることが可能となる。よって、利用者が暖房機を個別に起動したり停止したりする手間を省くことが可能であると共に、無用な電力を消費することを予防することも可能である。
【００３２】
上記（２）の情報を用いる場合、暖房機が、局部洗浄装置の使用履歴情報を利用することが可能となり、暖房機に使用履歴を記憶させる必要が無く、機器構成を簡略化することが可能となる。また、暖房機は、受信した使用履歴情報に基づいて利用者の使用開始時期を予測して、その時期に動作を開始するなどの動作を行うことが可能となる。よって、暖房機にタイマー機能を搭載し、利用者に動作予約を行わせる必要が無くなり、機器構成を簡略化できると共に、利用者の手間を省くことが可能となる。
【００３３】
上記（３）の情報を利用した場合、暖房機は、局部洗浄装置が予測した使用状態を利用することが可能となり、暖房機に予測機能を設ける必要が無く、機器構成を簡略化することが可能となる。
【００３４】
請求項８記載の発明は、請求項３記載の暖房機において、前記暖房機が受信する情報信号には、
（１）照明の点灯もしくは消灯情報
（２）ドアの開閉情報
の内から選ばれた少なくとも１種類の情報が含まれることを特徴とする。
【００３５】
暖房機は稼動し始めてから所定の温度に達するまでに時間を要するため、使用者がトイレ室内に入ってから暖房機が運転すると、運転開始直後は暖かくないため不快に感じてしまう。特に、ヒータと送風機を用いて温風を吹出す暖房機は、安全性の面からヒータが加熱される前に送風機が運転するため、暖房機運転開始直後は送風のみとなり使用者は不快に感じる。しかし、本発明の照明の点灯情報やドアの開情報を暖房機が受信し、照明の点灯、ドアの開と共に暖房機が運転すれば、入室時に暖房機から温風が出ているため、利用者の不快感を防ぐことができる。
また、照明の消灯情報、ドアの開閉情報を暖房機が受信し、暖房機を自動停止するように設定すれば、暖房機の消し忘れを防ぐことができる。
【００３６】
請求項９記載の発明は、請求項３記載の暖房機において、前記暖房機が受信する情報信号は、前記暖房機が設置された部屋若しくは隣接部屋の温度情報であることを特徴とする。
【００３７】
局部洗浄装置、温度計測装置などの一つに備えられた温度検知手段による温度情報を他の機器すべてが利用することが可能となり、暖房機の構成を簡略化して安価に提供することが可能となる。
【００３８】
また、従来の暖房機には、暖房機が設置された部屋の温度を検知し、設定温度となるように運転するものがあった。このような暖房機を運転し部屋温度を一定にする場合、使用者は入室直前の隣接部屋の温度により、体感温度が異なってしまい、ある時は暑く、ある時は寒く感じるという問題があった。しかし、暖房機が隣接された部屋の温度計測装置から温度情報を受信し、隣接された部屋の温度から一定値高い温度になるように部屋の温度を設定できるため、隣接部屋の温度に影響を受けることなく、使用者はいつでも適温に感じられる。
【００３９】
請求項１０記載の発明は、請求項４記載の暖房機において、前記暖房機が発信する情報信号には、下記の（１）〜（７）の情報群
（１）実際の動作状態もしくは予測された動作状態の情報、
（２）操作部もしくはリモコン装置への利用者の指示入力情報、
（３）温度又は人体有無を検出するためのセンサーの検出結果、
（４）動作状態もしくは使用者の使用状態を検出する検出スイッチの検出結果、
（５）計時手段による計時結果、
（６）記憶装置に記憶された記憶データ、
（７）演算装置による演算結果、
の内から選ばれた１種類以上の情報が含まれることを特徴とする。
【００４０】
上記（１）の情報を用いる場合、暖房機と、局部洗浄装置や換気装置とを実際の動作又は予測された動作に連係して動作させることが可能となる。
【００４１】
上記（２）の情報を用いる場合、暖房機を利用者が操作することで、局部洗浄装置や換気装置の動作も変えることができる。
【００４２】
上記（３）又は（４）の情報を用いる場合、暖房機に備えられた温度、人体検知などのセンサー又は検出スイッチの検出結果を、局部洗浄装置、換気装置、冷房装置でも利用することが可能となり、各機器の構成を簡略化して安価に提供することが可能となる。
【００４３】
上記（５）の情報を用いる場合、暖房機に備えられた計時手段による計時結果を局部洗浄装置、換気装置、冷房装置が利用することが可能となり、各機器の構成を簡略化して安価に提供することが可能となる。また、暖房機からの計時結果を用いて各機器が自己の計時手段の計時結果を修正する構成を採用すれば、暖房機の計時と各機器の計時とを同期させることができる。
【００４４】
上記（６）の情報を用いる場合、暖房機に備えられた記憶装置に記憶された記憶データを局部洗浄装置、換気装置、冷房装置が利用することが可能となり、各機器の構成を簡略化して安価に提供することが可能となる。
【００４５】
上記（７）の情報を用いる場合、暖房機に備えられた演算装置による演算結果を局部洗浄装置、換気装置、冷房装置が利用することが可能となり、各機器の構成を簡略化して安価に提供することが可能となる。
【００４６】
請求項１１記載の発明は、請求項３記載の暖房機において、前記暖房機は、前記機器からの情報信号に基づいて、自己の動作を開始、変更、停止又は一時停止することを特徴とする。
【００４７】
前記暖房機は、他の機器からの情報信号に基づいて、自己の動作を開始、変更、停止又は一時停止する。暖房機は、他の機器の例えば起動、動作変更、停止又は一時停止などに合わせて、自己の起動、動作変更、停止又は一時停止などが行える。また、例えば発信機能付機器の停止に合わせて暖房機を停止させることにより、利用者の機器停止忘れ防止を行うことも可能となる。
【００４８】
また、例えば発信機能付機器の動作に合わせて暖房機を起動させることにより、暖房機を効果的に利用することが可能となる。例えば、暖房機の使用時又は予測された使用時刻に合わせて、暖房機を起動すれば、暖房機を効果的に利用できる。
【００４９】
請求項１２記載の発明は、請求項４記載の暖房機において、前記暖房機は、局部洗浄、照明、使用状態報知のための装置からの情報信号に基づいて、自己の動作状態を省電力待機状態から通常稼動状態に移行、もしくは通常稼動状態から省電力待機状態に移行することを特徴とする。
【００５０】
暖房機は、他の機器からの情報信号に基づいて、自己の動作状態を省電力待機状態から通常稼動状態に移行し、もしくは通常稼動状態から省電力待機状態に移行する。よって、他の機器の状態に応じて必要なときには自動的に稼動し、不要な時には操作表示部などのＬＥＤを消灯するなど自動的に待機状態になって無用な電力消費を無くす、経済的な暖房機を提供することが可能となる。
【００５１】
請求項１３記載の発明は、請求項１１記載の暖房機において、前記暖房機は、請求項６記載の情報信号に基づいて、自己の消費電力量を変化させることを特徴とする。
【００５２】
暖房機は、局部洗浄装置からの情報信号に基づいて、自己の消費電力量を変化させる。よって、システム全体の消費電力を過大にならないよう抑制できる。
【００５３】
請求項１４記載の発明は、請求項１１記載の暖房機において、前記暖房機は、請求項５記載の情報信号に基づいてトイレの使用時間帯を推定し、前記暖房機の運転開始または停止を自動でおこなう機能を有したことを特徴とする。
【００５４】
暖房機は、局部洗浄装置のタイマー運転時刻情報を受信しタイマー運転をおこなうように設定することにより、暖房機のタイマー機能を省くことができる上、局部洗浄装置のタイマー設定のみで局部洗浄装置と暖房機のタイマー設定が可能となるため各々のタイマー設定操作を省くこともできる。また、局部洗浄装置からの情報が、使用履歴情報の場合はその情報を元に暖房機がトイレの使用時間帯を推定し、暖房機が運転開始時刻と停止時刻を自動的に設定する機能を設ければ、都度タイマー運転時刻の変更する必要がなくなる。
【００５５】
請求項１５記載の発明は、請求項１４記載の暖房機において、前記暖房機は、所定日数前の使用履歴データに基づいて、前記暖房機の運転開始または停止を自動でおこなうことを特徴とする。
【００５６】
使用者が冬の朝起きる直前に暖房機を運転したい時、タイマー設定をおこなうが、日により稼動したい時間が異なる場合は、都度タイマー設定をおこなわなければならない。例えば、使用者が平日と土曜日と日曜日の早朝のタイマー運転時間を変更したい場合などは、その前日にタイマー設定をおこなわなければならなかった。しかし、本発明の所定日数を７日に設定することによる、タイマー設定をその都度おこなう必要がなくなる。
【００５７】
請求項１６記載の発明は、請求項１１記載の暖房機において、前記暖房機が設置された隣接の部屋の温度情報と、前記暖房機が設置された部屋の温度情報とを元に、運転動作を変更することを特徴とする。
【００５８】
暖房機は、隣接の部屋の温度と暖房機が設置された部屋の温度との温度差を元に暖房機の運転動作を変更し、温度差が一定となるように制御運転するため、利用者は、隣接の部屋から暖房機が設置された部屋に入室した時に常に体感温度を一定にすることができる。また、暖房機が設置された部屋の温度を制御する場合と比べ、過剰暖房による無駄なエネルギーを抑制することもできる。本発明の温度情報とは、温度だけではなく時間情報も含んでおり、深夜は昼間より隣接の部屋の温度と暖房機が設置された部屋の温度との温度差を高く設定することもできる。
【００５９】
請求項１７記載の発明は、請求項５記載の発明において、前記暖房機は、
（１）局部洗浄装置からの情報信号に基づいて自己の動作状態を変更する連動運転モードと、
（２）局部洗浄装置からの情報信号に基づいては自己の動作状態を変更しない個別運転モードと
の内から所望のモードの選択手段を設けたことを特徴とする。
【００６０】
利用者が任意に、暖房機を、局部洗浄装置と連携せずに、完全に独自で動作する機器として利用することが可能となる。
【００６１】
請求項１８に記載の発明は、請求項３記載の暖房機において、前記暖房機は、前記機器からの情報信号に基づいて自己の動作状態を変更するための複数の変更手段を有し、前記複数の変更手段の中から所望の手段が選択可能であることを特徴とする。
【００６２】
これにより、暖房機の動作により多くに自由度を持たせることが可能である。暖房機において、他機器からの情報信号に応じて動作状態を変更するパターンが複数種類用意され、それらの複数の変更パターンの中から所望の変更パターンが予め選択される。暖房機の変更パターンを適宜に選択することで、より利用者の意に促した連携動作を暖房機に行わせることが可能となる。
【００６３】
請求項１９に記載の発明は、前記複数の変更手段には、
（１）局部洗浄装置からの情報信号に基づいて自己の消費電力を比較的に大きい値以下に抑制するか否かを切替える第１の変更手段と、
（２）局部洗浄装置からの情報信号に基づいては自己の消費電力を比較的に小さい値以下に抑制するか否かを切替える第２の変更手段と
を含むことを特徴とする。
【００６４】
暖房機が、局部洗浄装置とは別の電源ブレーカーに接続されているような場合には、上記（２）のモードを選択する方が好ましい場合がある。
【００６５】
請求項２０に記載の発明は、請求項１乃至４記載の暖房機において、前記暖房機は、赤外線もしくは他の空中伝播波を用いた無線チャネルを用いて、前記情報信号を授受することを特徴とする。
【００６６】
暖房機は、商用電源を供給する電力線、電力線とは別の信号線、又は、赤外線もしくは他の空中伝播波を用いた無線チャネルを用いて、情報信号を授受する。信号線で情報信号を伝達する場合には、信号伝達の確実性が高い。また、信号線の接続をピンジャック構造等にして、適宜に信号線を切断したり接続したりすることで、或る機器をシステムから外して独立で動作させたり、再びシステムに組み入れたりすることができる。また、商用電源の電力線で信号伝達をする場合には、商用電源を用いる機器間には、特別の信号線を配線する必要が無い。また、無線チャンネルを用いる場合には、機器間の配線が全く必要が無い。特に、赤外線チャネルを用いると、他の無線方法に比べると、安価に発信器及び受信器を構成することが可能となる。
【００６７】
【発明の実施の形態】
以下に本発明の実施の形態を、添付図面により詳細に説明する。
【００６８】
（全体構成…トイレ室内の例）
図１にトイレ室内に設置される暖房機の設置例の外観斜視図を示す。図において、Ａは発信機能付機器である局部洗浄装置、Ｂは受発信機能付機器である暖房機、Ｃは受信機能付機器である冷房装置、Ｄは発信機能付機器である照明装置、Ｅは受信機能付機器である換気装置である。図示するように局部洗浄装置Ａは便器上に設置され、暖房機Ｂ、および冷房装置Ｃは壁面に沿って設置され、照明装置Ｄ、および換気装置Ｅは天井に設置される。
【００６９】
暖房機Ｂは、いずれも、他の機器から独立した機器として動作して、その機器本来の使用目的を達成し得るものである。すなわち、これらの機器Ａ〜Ｅは、いずれも、他の機器の存在を前提にすることなしに（つまり、その機器単独で設置されていても、他の機器と一緒に設置されていても、何れの場合にも）、その機器本来の独自の使用目的を達成するよう動作するものである。また、機器Ａ〜Ｅは、いずれも、局部洗浄装置から制御を受けて動作をするものではなく、自機の動作はあくまでも自機で自律的に制御するという自律制御型の機器である。
【００７０】
さて、本実施形態では、上記の夫々独立した複数の機器Ａ〜Ｅのうち、例えば、暖房機Ｂは受発信機能を有しており、暖房機の状態又は暖房機が有するトイレ室の状態などを示す状態情報をトイレ室内空間などの外部に発信すると共に、他の発信機能付機器の状態又は他の発信機能付機器が有するトイレ室の状態などを示す状態情報を自主的のキャッチし、その状態情報に応じて自律的に自機の動作状態を制御する。局部洗浄装置Ａ、照明装置Ｄは発信機能を有しており、その機器の状態又はトイレ室の状態などを示す状態情報をトイレ室内空間などの外部に発信することができる。また、冷房装置Ｃ、換気装置Ｅは他の発信機能付機器から発された状態情報を自主的にキャッチし、その状態情報に応じて自律的に自機の動作状態を制御する。それにより、それらの機器Ａ〜Ｅから構成される機器システム全体の動作状態が、より好ましく制御されることになる。
【００７１】
ここで、注目すべき点は、暖房機Ｂ、冷房装置Ｃ、換気装置Ｅなどの受信機能を有した機器は、あくまでも「自律的」に自機の動作状態を制御しているのであって、他の発信機能付機器からの指示、命令又はリクエストに従っているのではないということである。すなわち、発信機能付機器からの状態情報（これには、例えば、人体検知結果、消費電力、使用頻度予測など様々な種類の状態情報がある）の内のどれを利用しどれを無視するか、及び、それを利用してどの動作をどのように制御するかということを、自機自身で自律的に決定するのである。一方、発信機能付機器は、何の動作を行なえというような指示、命令又はリクエストを他の受信機能付機器に与えることはなく、単に、自機で把握された自機又はトイレ室の状態を示す情報を周囲へ放っているだけ過ぎず、その状態情報が周囲でどのように利用されたかという点については一切関知しない。
【００７２】
図２に、図１で示した機器システムの構成ブロック図を示す。
【００７３】
局部洗浄装置の送信部から使用終了情報が、照明装置の送信部から点灯情報が発信され、暖房機の受信部に受信される。暖房機は照明装置の点灯情報と共に運転を開始し、局部洗浄装置の使用終了情報と共に運転を停止する。
また、暖房機の送信部から運転情報と温度情報が発信され、換気装置は暖房機の運転情報を受信部に受信され、冷房装置は暖房機の温度情報を受信部に受信される。換気装置は、トイレ室の暖められた空気をトイレ室外へ排出しないように、暖房機の運転時には自動的に停止する。また、冷房装置は暖房機の温度情報により、トイレ室内の温度を制御する
【００７４】
ここで、局部洗浄装置、暖房機、照明装置などの発信機能付機器は、状態情報の宛先として特定の受信機能付機器を指定することなく（すなわち、トイレ室に何の受信機能付機器が存在しているか、どの受信機能付機器がその状態情報を受信すべきか、ということは一切に認識せずに）、状態情報をトイレ室空間に発信する。要するに、発信機能付機器は、状態情報をトイレ室に「放送」するのである。発信機能付機器は、上述したように、その放送された状態情報が周囲の他の機器に受信されたか否か、及び、その状態情報に応答して周囲の他の機器が何らかの動作を行なうか否といった、他の機器の存在や動作に関しては、全く関知しない。つまり、発信機能付機器は、他の装置を「制御」することはなく、単に、状態情報を放送するだけである。発信機能付機器から「放送」された状態情報をどのように取り扱うか（例えば、無視するか利用するか、何の動作にどのように利用するか）は、専ら、受信機能付機器が自律的に決めるのである。このような発信機能付機器他の受信機能付機器との間の連携方法は、従来の制御装置と被制御装置間や、サーバとクライアント間や、ホストと周辺機器間の連携方法のように、一方が他方に対して指示、命令又はリクエストを出して、それに従って他方が自機の動作を変えるという方法とは区別される、特別の連携方法である。
【００７５】
また、暖房機を含め各受信機能付機器には夫々それ自身の操作部も備えられており、受信情報に基づいて自己の動作形態を変更して動作する他に、自己の操作部への入力に従って動作することも可能である。
【００７６】
図３は暖房機の断面図を示す。暖房機３８０は室内壁面３９９に埋め込まれている。暖房機３８０は、送風機３３０により、室内の空気をスリット状に開口した吸入口３６０より吸入し、熱交換器３８１により温度調整を行い、吸入口同様にスリット状に開口した送風口３５０より室内に送風することにより、室内の暖房を行う。送風機３３０は、暖房機の運転制御部３２１によりその動作を制御される。
【００７７】
暖房機への給電は前述した局部洗浄装置と同一のブレーカーを解して商用電源から供給される。
【００７８】
図４は、本発明の一実施形態に係る暖房機の操作部を示した図である。
【００７９】
電源スイッチ１００１により機器への電源入遮断が行われ、運転選択スイッチ１００２により、他の機器が発信した情報に基づいて自己の動作形態を変更する「連動運転モード」と、他の機器の情報によらず自己の操作部への利用者の指示入力に基づいて動作する「個別運転モード」とを選択することが可能であり、「連動運転モード」が選択されている場合は、ＬＥＤから成る連動運転選択表示部１００７が点灯し、利用者に選択モードを知らせることができる。
【００８０】
温風選択スイッチ１００３は循環式の選択スイッチで、スイッチを押す毎に、「温風切」→「温風弱」→「温風強」→「温風切」→…の順に温風動作を選択することが可能である。「温風切」が選択された場合は温風脱臭器のヒータは動作せず、「温風弱」が選択された場合は２００Ｗ相当のヒータが動作し、送風風量は約０．３ｍ３／分に調整され、「温風強」が選択された場合は４００Ｗ相当のヒータが動作し、送風風量は約０．６ｍ３／分に調整される。
【００８１】
パワーセーブ選択スイッチ１００５は、他の機器が発信した情報に基づいて自己の動作形態を変更する「連動運転モード」における動作形態を選択するスイッチである。
【００８２】
運転選択スイッチ１００２により「連動運転モード」が選択され、パワーセーブ選択スイッチ１００５により「パワーセーブ入」が選択されている場合は、他の機器が発信した情報に基づいて自己の動作形態を変更する際に、他の機器の消費電力変化に連携して、自己の消費電力を変化させる動作を行う（具体的には、温風運転モードを変更する）。
運転選択スイッチ１００２により「連動運転モード」が選択され、パワーセーブ選択スイッチ１００５により「パワーセーブ切」が選択されている場合は、他の機器が発信した情報に基づいて自己の動作形態を変更する際に、他の機器の消費電力変化に連携して、自己の消費電力を変化させる動作は行わない。
【００８３】
尚、運転選択スイッチ１００２により「個別運転モード」が選択されている場合は、パワーセーブ選択スイッチ１００５の選択位置は意味を成さない。
【００８４】
また、パワーセーブ選択スイッチ１００５の選択によらず、運転選択スイッチ１００２により「連動運転モード」が選択されている場合には、他の機器が発信する情報を受信して暖房機が省電力待機状態から動作状態に移行する、もしくは動作状態から省電力待機状態へと移行する連携動作は実行される。
【００８５】
優先度選択スイッチ１００６も、他の機器が発信した情報に基づいて自己の動作形態を変更する「連動運転モード」における動作形態を選択するスイッチである。
【００８６】
運転選択スイッチ１００２により「連動運転モード」が選択され、優先度選択スイッチ１００６により「優先度２」が選択されている場合は、他の機器が発信した情報に基づいて自己の消費電力を変化させる動作において、自己の消費電力が３００Ｗ以下となるよう動作を変更する。本暖房機では、「温風強」運転の場合には「温風弱」に変更する。
【００８７】
運転選択スイッチ１００２により「連動運転モード」が選択され、優先度選択スイッチ１００６により「優先度３」が選択されている場合は、他の機器が発信した情報に基づいて自己の消費電力を変化させる動作において、自己の消費電力が１００Ｗ以下となるよう動作を変更する。本暖房機では、「温風強」もしくは「温風弱」運転の場合には「温風切」に変更する。
【００８８】
尚、運転選択スイッチ１００２により「個別運転モード」が選択されている場合は、優先度選択スイッチ１００６の選択位置は意味を成さない。
【００８９】
図５から図７に、本発明の一実施形態に係る機器システムの運転フローチャートを示す。図１および図２に示した発明と同一の構成を有する。尚、機器間の情報伝達は赤外線を用いて成されている。
【００９０】
本実施形態の局部洗浄装置、暖房機から構成される機器システムの、代表的な一連の連携動作をフローチャートに基づいて説明する。
【００９１】
暖房機は、電源投入後、一定時間（一時間）以上、操作部およびリモコンへの入力乃至は他の機器からの情報送信が無い場合には、操作部のＬＥＤ表示部などを消灯する、省電力待機状態へ移行する。
【００９２】
暖房機は、夫々の選択スイッチにより「連動運転モード」が選択されている。
【００９３】
局部洗浄装置は、自分の使用履歴から推算した使用開始時刻の１時間前に、「使用開始予告信号」を発信し、省電力待機状態を解除する。
【００９４】
暖房機は、「使用開始予告信号」を受信して、強モード（４００Ｗ）暖房運転に移行する（但し、予め暖房機に入力された設定温度以上である場合には、暖房運転を行わない）。
【００９５】
室内に利用者が入ると、局部洗浄装置に備えられた人体検知センサー（測距センサー）が、予め設定された値（Ａ値とする）を検知し、「入室検知信号」を発信し、便蓋を開ける。
【００９６】
暖房機は、「入室検知信号」を受信して、省電力待機状態を解除し、継続して強モード（４００Ｗ）暖房運転をおこなう（但し、予め入力された設定温度以上である場合には、暖房運転を行わない）。
【００９７】
局部洗浄装置は「入室検知信号」を発信し、便蓋を開けた後に、便座並びに洗浄水の予備加熱動作に移行するが、移行する前に予測電力使用量情報である「低電力使用信号」を発信する。
【００９８】
「低電力使用信号」を受信した、暖房機は、夫々、強モード運転から弱モード運転に移行して、自己の消費電力を抑制する。
【００９９】
このように、局部洗浄装置の予測電力使用量情報に基づいて暖房機が消費電力を抑制する動作に移行することによって、同一の電源ブレーカーに接続してもその電気容量を越えないように運転することが可能となる。
【０１００】
利用者が便座に座るなどして、便座により近接すると、局部洗浄装置に備えられた人体検知センサー（測距センサー）が、予め設定された値（Ｂ値とする）を検知し、「使用開始信号」を発信する。
【０１０１】
「使用開始信号」を受信した暖房機は、予め設定された温度以下である場合には暖房運転に継続する。
【０１０２】
局部洗浄装置の操作部乃至はリモコンに洗浄動作指示が入力されると、局部洗浄装置は「高電力使用信号」を発信し、温水洗浄動作を実行する。
【０１０３】
「高電力使用信号」を受信した、暖房機は暖房運転を行っている場合には運転を停止する。
【０１０４】
局部洗浄装置の操作部乃至はリモコンに洗浄停止指示が入力されると、局部洗浄装置は温水洗浄動作を停止し、「中電力使用信号」を発信する。
【０１０５】
「中電力使用信号」を受信した暖房機は、弱暖房乃至は運転を停止する。
【０１０６】
利用者が便座から立ち上がるなどして、便座により離れると、局部洗浄装置に備えられた人体検知センサー（測距センサー）が、予め設定された値（Ｂ値とする）の検知状態から不検知状態に移行し、「使用終了信号」を発信し、便座加熱、脱臭運転を停止する。
【０１０７】
「使用終了信号」を受信した暖房機は、暖房運転を停止する。
【０１０８】
利用者が退室すると、局部洗浄装置に備えられた人体検知センサー（測距センサー）が、予め設定された値（Ａ値とする）の検知状態から不検知状態に移行し、「退室検知信号」を発信し、計時が開始される。
【０１０９】
「退室検知信号」を受信した、暖房機は省電力待機に移行する。
【０１１０】
このように、上述の局部洗浄装置のセンサー検出値を共有することによって、暖房機の動作を停止乃至は省電力待機に移行することが可能となるので、利用者の消し忘れなど乃至は消し忘れによる無用な電力の消費を防止することが可能となる。
【０１１１】
図８〜図１３は、本発明の一実施形態にかかる別の暖房機とその他の機器のフローチャートである。
【０１１２】
その他の機器は、トイレ室に設置された局部洗浄装置（又は便器装置）と、トイレ室の外（例えば、トイレ室と出入り口が繋がる廊下や洗面所など）に設置されたブース外温度測定装置から構成される。局部洗浄装置とブース外温度測定装置は発信機能をもち、一方、暖房機は受信機能をもつ。なお、局部洗浄装置とブース外温度測定装置が電気的に接続されていて、ブース外温度測定装置で検出されたブース外温度情報が局部洗浄装置に受け取られ、局部洗浄装置が、自己の情報やブース外温度情報などをトイレ室内へ赤外線などで発信するようになっていてもよい。
【０１１３】
図８〜１３には、局部洗浄装置やブース外温度測定装置からの情報を受信する暖房機の動作フロー例だけが示されている。局部洗浄装置とブース外温度測定装置の動作フローは省略されている。
【０１１４】
図８に示すように、暖房機は、それぞれ電源投入された後、利用者の操作によって運転モード選択タスクに入ると、利用者により自動運転スイッチがオン状態されれば、局部洗浄装置等と連携して稼動する連動運転モードになり、オフ状態にされれば、他の装置から完全に独立して個別に稼動する個別運転モードになる。その後、何のイベントも発生しなければ、暖房機は、省電力待機状態になる。続いて、ルーチンは図９へ進む（５０１）。
【０１１５】
図９に示すように、暖房機は、ターミナル５０１以下のフローに示すように、例えば周期的に時計修正タスクに入り、局部洗浄装置から時刻情報が来たか否か（つまり、その情報信号が物理的に受信されたか否か）をチェックし、それが来れば受信して（つまり、動作制御に利用するために受け入れて）、受信した時刻情報と暖房機の内蔵時計の時刻を比較して、違っていれば内蔵時計の時刻を修整して局部洗浄装置のそれと一致させる。続いて、ルーチンは図１０へ進む（５０２）。
【０１１６】
図１０に示すように、暖房機は、ターミナル５０２以下のフローに示すように、例えば周期的に「朝使用予告」判断タスクに入り、局部洗浄装置から使用予告情報が来たか否かをチェックする。この使用予告情報は、局部洗浄装置の前述した予測処理の結果として得られる、現在の時間帯に利用者がトイレを使用するであろうという使用予告を示している。その使用予告情報が来ていれば、暖房機は、その使用予告情報を受信した時刻を内蔵時計で調べ、その時刻が朝の寒い所定時間帯（例えば、６時〜９時）に入っているかどうかをチェクする。この時間帯チェック結果がイエス（朝６時〜９時に使用予告情報を受信した）ならば、ルーチンは図１１へ進む（５０３）。また、上記チェック結果がノーならば、或いは、使用予告情報が来なければ、暖房機は、まだ暖房運転を行なわないと決定して、そのルーチンは図１３へ進める（５１１，５１２）。
【０１１７】
図１１に示すように、暖房機は、図１０の「朝使用予告」判断タスクの時間帯チェック結果がイエスだったならば、ターミナル５０３以下のフローに示すように、「事前暖房」実施判断タスクに入り、ブース外温度検出装置からブース外温度情報が来たか否かを周期的にチェックする。ブース外温度情報が来ると、これを受信して、そのブース外温度と暖房機の内蔵サーミスタの温度（つまり、トイレ室内の温度）とを比較し、その温度比較の結果、トイレ室内の温度の方がトイレ室外の温度より例えば５度以上低ければ、事前暖房を実行すると決定して、そのルーチンを図１２へ進める（５０４）。一方、上記温度比較の結果、トイレ室内の温度の方が上記程はトイレ室外の温度より低くない場合には、事前暖房を実行しないと決定して、そのルーチンを図１３へ進める（７０１）。
【０１１８】
また、ブース外温度情報が来ない場合（典型的には、ブース外温度検出装置が設置されていない場合）には、暖房機は、内蔵サーミスタの温度（トイレ室内温度）をチェックし、それが例えば２０℃以下なら、事前暖房を実行すると決定して、そのルーチンを図１２へ進め（５０５）、一方、２０℃より高ければ、事前暖房を実行しないと決定して、そのルーチンを図１３へ進める（５１３）。
【０１１９】
図１２に示すように、暖房機は、上述の「事前暖房」実施判断タスクでブース外温度情報に基づいて事前暖房を行なうと決定した場合、５０４以下のフローに示すように、内外温度偏差制御「事前暖房」タスクに入り、まず、省電力待機を解除し、強（例えば、１２００Ｗ）暖房運転を開始し、その後、暖房運転の効果がある程度現れるのに必要な所定時間が過ぎた段階で、局部洗浄装置から利用者の入室検知情報が来たかどうかを周期的にチェックし、来ないならば、続いて、ブース外温度情報（ブース外温度検出装置から定期的に発信されている）を受信して、このブース外温度と内蔵サーミスタのトイレ室内温度とを比較する。この温度比較の結果、トイレ室内の温度がトイレ室外の温度より低く、かつその温度差が例えば２度より大きければ、暖房機は事前暖房運転を続行し、その後、トイレ室内の温度が上昇してトイレ室外の温度に２度以内まで近づいたら、事前暖房運転を停止する。また、上記の入室検知情報のチェックの結果、入室検知情報が来ていたときには（７０２）、暖房機は、強（例えば、１２００Ｗ）運転での「事前暖房」から、例えば弱（例えば、６００Ｗ）運転での「足元暖房」に暖房運転を変更する。
【０１２０】
尚、入室検知情報は、局部洗浄装置に備えられた、利用者の局部洗浄装置への接近を検知する人体検知センサー、ないしは利用者の局部洗浄装置利用を検知する着座検知センサー、の検知結果に基づいて、局部洗浄装置が発信する方法の他に、トイレ室入口近傍にトイレ室への利用者入退室を検知する入退室検知機器を設け、入退室検知機器が発信機能付機器としてトイレ室内に入退室検知情報を発信する方法、局部洗浄装置と入退室検知機器が電気的に接続され、入退室検知機器で検出された入退室検知情報が局部洗浄装置に受け取られ、局部洗浄装置が、他の情報と共にトイレ室内に入退室検知情報を発信する方法としても良い。
【０１２１】
また、暖房機は、前述の「事前暖房」実施判断タスクでトイレ室内温度のみに基づいて事前暖房を行なうと決定した場合、ターミナル５０５以下のフローに示すように、内部温度偏差制御「事前暖房」タスクに入り、まず、省電力待機を解除し、強（例えば、１２００Ｗ）暖房運転を開始し、その後、暖房運転の効果がある程度現れるのに必要な所定時間が過ぎた段階で、局部洗浄装置から利用者の入室検知情報が来たかどうかを周期的にチェックし、来ないならば、続いて、内蔵サーミスタが検知したトイレ室内温度をチェックして、その室内温度がまだ２０℃未満なら、事前暖房運転を続行し、２０℃以上になったなら、事前暖房運転を停止する。また、上記の入室検知情報のチェックの結果、入室検知情報が来てたときには（７０３）、暖房機は、強（例えば、１２００Ｗ）運転での「事前暖房」から、例えば弱（例えば、６００Ｗ）運転での「足元暖房」に暖房運転を変更する。
【０１２２】
図１３に示すように、暖房機は、図１０〜図１１に示したタスクで暖房運転をまだ行なわないと決定した場合、ターミナル５１１，５１２，５１３及び７０１以下のフローに示すように、省電力待機継続タスクに入り、省電力待機状態を維持し、そして、局部洗浄装置から入室検知情報が来たかどうかを周期的にチェックし、来ない間は省電力待機状態を維持し、来たならば、省電力待機状態を解除する。
【０１２３】
以上のようにして、暖房機が、それぞれ独自の方法で自律的に、局部洗浄装置等からの情報信号を利用するか無視するか、及び、それを利用してどのような動作制御を行なうかを決定して、それぞれ独自の態様で稼動する。どの装置も、他の装置を積極的に制御するようなことはしない。そうであっても、機器システム全体としては、調和のとれた好ましい動作状態が達成される。
【０１２４】
また、上記の暖房機と他の機器によれば、一機器のセンサー検出値を共有することによって、暖房機の動作を停止乃至は省電力待機に移行することが可能となるので、利用者の消し忘れなど乃至は消し忘れによる無用な電力の消費を防止することが可能となる。
【０１２５】
尚、以上述べてきた実施例については、これに限定されるものではなく、発明の主旨を逸脱しない範囲で、実施することができる。
【０１２６】
また、実施に際して、商用電源以外の電源（例えば一次電池、二次電池）により動作する機器を含んでいても、本発明の本発明の主旨を変えない範囲で行うことができる。
【０１２７】
【発明の効果】
以上述べてきた通り本発明によれば、暖房機あるいは他の機器が持つ情報を共有化することで、暖房機あるいは他の機器のコストを低減させることができると共に、他の機器の情報を暖房機で活用することにより、より最適な動きができる運転モードを有した暖房機を利用者に提供することができる。
【図面の簡単な説明】
【図１】トイレ室内に設置される発信機能付機器と、受信機能付機器、及び受発信機能付暖房機の設置例の外観斜視図である。
【図２】発信機能付機器、受信機能付機器、及び受発信機能付暖房機の一例を示す構成ブロック図である。
【図３】本発明の受信機能付機器の一例である暖房機を示した図である。
【図４】図３の暖房機の操作部を示した図である。
【図５】本発明の一実施形態に係る暖房機とその他の機器のフローチャートである。
【図６】本発明の一実施形態に係る暖房機とその他の機器のフローチャート図５の続きである。
【図７】本発明の一実施形態に係る暖房機とその他の機器のフローチャート図６の続きである。
【図８】本発明の一実施形態に係る別の暖房機とその他の機器のフローチャートである。
【図９】本発明の一実施形態に係る暖房機とその他の機器のフローチャート図８の続きである。
【図１０】本発明の一実施形態に係る暖房機とその他の機器のフローチャート図９の続きである。
【図１１】本発明の一実施形態に係る暖房機とその他の機器のフローチャート図１０の続きである。
【図１２】本発明の一実施形態に係る暖房機とその他の機器のフローチャート図１１の続きである。
【図１３】本発明の一実施形態に係る暖房機とその他の機器のフローチャート図１０〜１２の続きである。
【符号の説明】
Ａ…局部洗浄装置
Ｂ…暖房機
Ｃ…冷房装置
Ｄ…照明装置
Ｅ…換気装置
３０１…光触媒脱臭装置
３１１…光触媒エレメント
３１２…光源、
３１３…触媒シート固定手段
３１４…触媒シート
３１５…切欠部
３２１…運転制御部
３３０…送風機
３５０…送風口
３６０…吸入口
３７１…光源制御部
３７２…運転制御部
３７３…赤外線受光素子
３７３…風速センサー
３７４…照度センサー
３７５…運転選択スイッチ
３７６…給電接続部
３８０…暖房機
３８１…熱交換器
【図１】
2004092937.tif 000003
【図２】
2004092937.tif 000004
【図３】
2004092937.tif 000005
【図４】
2004092937.tif 000006
【図５】
2004092937.tif 000007
【図６】
2004092937.tif 000008
【図７】
2004092937.tif 000009
【図８】
2004092937.tif 000010
【図９】
2004092937.tif 000011
【図１０】
2004092937.tif 000012
【図１１】
2004092937.tif 000013
【図１２】
2004092937.tif 000014
【図１３】
2004092937.tif 000015